(57)【要約】  複数の無線回線の帯域に合わせて効率的にデータを振り分けることが可能な無線通信装置、無線通信システム及び無線通信方法を提供する。分割手段（１２）は、データを複数のデータ部分に分割する。帯域制御手段（１４）は、複数の無線回線ごとに帯域制御を行って通信速度を設定する。付加手段（１６）は、帯域制御手段１４の帯域制御によって設定された複数の無線回線それぞれの通信速度に応じて、複数の無線回線それぞれに対応する識別子を、複数のデータ部分に付加する。振分手段（１８）は、複数のデータ部分のそれぞれを、当該複数のデータ部分に付加された識別子に基づいて、複数の無線回線のいずれかに振り分ける。送信手段（２０）は、複数のデータ部分を、当該複数のデータ部分が振り分けられた複数の無線回線を介して、他の無線通信装置に対して送信する。
2014174768.tif 000002
【特許請求の範囲】
【請求項１】
データを複数のデータ部分に分割する分割手段と、
複数の無線回線ごとに帯域制御を行って通信速度を設定する帯域制御手段と、
前記帯域制御手段の帯域制御によって設定された前記複数の無線回線それぞれの通信速度に応じて、前記複数の無線回線それぞれに対応する識別子を、前記複数のデータ部分に付加する付加手段と、
前記複数のデータ部分のそれぞれを、当該複数のデータ部分に付加された識別子に基づいて、前記複数の無線回線のいずれかに振り分ける振分手段と、
前記複数のデータ部分を、当該複数のデータ部分が振り分けられた前記複数の無線回線を介して、他の無線通信装置に対して送信する送信手段と
を有する無線通信装置。
【請求項２】
前記付加手段は、前記複数のデータ部分に、前記複数の無線回線のいずれかに対応する宛先アドレスを付加し、前記複数のデータ部分それぞれをパケット化して複数のパケットを生成し、
前記振分手段は、前記複数のパケットのそれぞれを、当該複数のパケットのそれぞれに含まれる前記宛先アドレスに基づいて、前記複数の無線回線のいずれかに振り分ける
請求項１に記載の無線通信装置。
【請求項３】
前記帯域制御手段は、前記複数の無線回線それぞれについて前記帯域制御によって設定された通信速度に応じて、前記複数のデータ部分について前記複数の無線回線を対応付け、
前記付加手段は、前記複数のデータ部分それぞれに、前記対応付けられた無線回線の識別子を付加する
請求項１又は２に記載の無線通信装置。
【請求項４】
前記帯域制御手段は、前記複数の無線回線に対応して複数設けられており、
複数の前記帯域制御手段のそれぞれは、対応する前記複数の無線回線それぞれについて設定された通信速度に基づいて、前記データ部分を受け付け、
前記付加手段は、複数の前記帯域制御手段が受け付けた前記データ部分に、当該帯域制御手段に対応する無線回線の識別子を付加する
請求項３に記載の無線通信装置。
【請求項５】
前記付加手段は、前記複数の無線回線に対応して複数設けられており、
複数の前記帯域制御手段のそれぞれは、自身に対応付けられている無線回線に対応付けられた複数の前記付加手段のそれぞれに対して前記データ部分を出力し、
複数の前記付加手段のそれぞれは、自身に対応付けられている無線回線に対応する識別子を、前記帯域制御手段から受け付けた前記データ部分に付加する
請求項４に記載の無線通信装置。
【請求項６】
前記分割手段は、前記データを互いに同じサイズの複数のデータ部分に分割し、
前記帯域制御手段は、前記設定された通信速度がより速い無線回線を、より多くの前記データ部分に対応付ける
請求項３から５のいずれか１項に記載の無線通信装置。
【請求項７】
前記複数の無線回線を介して、他の無線通信装置から前記複数のデータ部分を受信する受信手段と、
前記複数のデータ部分を組み立てて元のデータを生成する組立手段と
をさらに有する請求項１から６のいずれか１項に記載の無線通信装置。
【請求項８】
前記複数の無線回線それぞれに対応して設けられ、前記複数の無線回線それぞれを介して前記受信手段によって受信された前記複数のデータ部分のそれぞれを格納する複数のメモリ
をさらに有し、
前記組立手段は、前記複数のメモリから、データ部分を元のデータにおける順序で取り出して、元のデータを生成する
請求項７に記載の無線通信装置。
【請求項９】
データが分割されて得られた複数のデータ部分を、複数の無線回線を介して他の無線通信装置から受信する受信手段と、
前記複数の無線回線それぞれに対応して設けられ、前記複数の無線回線それぞれを介して前記受信手段によって受信された前記複数のデータ部分のそれぞれを格納する複数のメモリと、
前記複数のメモリから、データ部分を元のデータにおける順序で取り出して組み立てることにより、元のデータを生成する組立手段と
を有する無線通信装置。
【請求項１０】
データを送信する第１の無線通信装置と、
前記データを受信する第２の無線通信装置と
を有し、
前記第１の無線通信装置は、
データを複数のデータ部分に分割する分割手段と、
複数の無線回線ごとに帯域制御を行って通信速度を設定する帯域制御手段と、
前記帯域制御手段の帯域制御によって設定された前記複数の無線回線それぞれの通信速度に応じて、前記複数の無線回線それぞれに対応する識別子を、前記複数のデータ部分に付加する付加手段と、
前記複数のデータ部分のそれぞれを、当該複数のデータ部分に付加された識別子に基づいて、前記複数の無線回線のいずれかに振り分ける振分手段と、
前記複数のデータ部分を、当該複数のデータ部分が振り分けられた前記複数の無線回線を介して、前記第２の無線通信装置に対して送信する送信手段と
を有し、
前記第２の無線通信装置は、
前記複数の無線回線を介して、前記第１の無線通信装置から前記複数のデータ部分を受信する受信手段と、
前記複数のデータ部分を組み立てて元のデータを生成する組立手段と
を有する
無線通信システム。
【請求項１１】
前記付加手段は、前記複数のデータ部分に、前記複数の無線回線のいずれかに対応する宛先アドレスを付加し、前記複数のデータ部分それぞれをパケット化して複数のパケットを生成し、
前記振分手段は、前記複数のパケットのそれぞれを、当該複数のパケットのそれぞれに含まれる前記宛先アドレスに基づいて、前記複数の無線回線のいずれかに振り分ける
請求項１０に記載の無線通信システム。
【請求項１２】
前記帯域制御手段は、前記複数の無線回線それぞれについて前記帯域制御によって設定された通信速度に応じて、前記複数のデータ部分について前記複数の無線回線を対応付け、
前記付加手段は、前記複数のデータ部分それぞれに、前記対応付けられた無線回線の識別子を付加する
請求項１０又は１１に記載の無線通信システム。
【請求項１３】
前記帯域制御手段は、前記複数の無線回線に対応して複数設けられており、
複数の前記帯域制御手段のそれぞれは、対応する前記複数の無線回線それぞれについて設定された通信速度に基づいて、前記データ部分を受け付け、
前記付加手段は、複数の前記帯域制御手段が受け付けた前記データ部分に、当該帯域制御手段に対応する無線回線の識別子を付加する
請求項１２に記載の無線通信システム。
【請求項１４】
前記付加手段は、前記複数の無線回線に対応して複数設けられており、
複数の前記帯域制御手段のそれぞれは、自身に対応付けられている無線回線に対応付けられた複数の前記付加手段のそれぞれに対して前記データ部分を出力し、
複数の前記付加手段のそれぞれは、自身に対応付けられている無線回線に対応する識別子を、前記帯域制御手段から受け付けた前記データ部分に付加する
請求項１３に記載の無線通信システム。
【請求項１５】
前記分割手段は、前記データを互いに同じサイズの複数のデータ部分に分割し、
前記帯域制御手段は、前記設定された通信速度がより高い無線回線を、より多くの前記データ部分に対応付ける
請求項１２から１４のいずれか１項に記載の無線通信システム。
【請求項１６】
データを複数のデータ部分に分割し、
複数の無線回線ごとに帯域制御を行って通信速度を設定し、
前記帯域制御によって設定された前記複数の無線回線それぞれの通信速度に応じて、前記複数の無線回線それぞれに対応する識別子を、前記複数のデータ部分に付加し、
前記複数のデータ部分のそれぞれを、当該複数のデータ部分に付加された識別子に基づいて、前記複数の無線回線のいずれかに振り分け、
前記複数のデータ部分を、当該複数のデータ部分が振り分けられた前記複数の無線回線を介して、他の無線通信装置に対して送信する
無線通信方法。
【発明の詳細な説明】
【技術分野】
【０００１】
本発明は、無線通信装置、無線通信システム及び無線通信方法に関し、特に、複数の無線回線を介してデータを伝送可能な無線通信装置、無線通信システム及び無線通信方法に関する。
【背景技術】
【０００２】
パケット伝送ネットワークにおいて、無線回線を用いるネットワークは、無線１回線のみで伝送できる容量が小さい。そのため、複数の無線回線を束ねて仮想的に１本の回線として伝送容量を確保する場合がある。つまり、単一のトラフィックを複数の無線回線に分散させることによって、無線回線全体として伝送容量を確保する。この、複数の無線回線を束ねることを、リンクアグリゲーション又はトラフィックボンディングという。【０００３】
上記の技術に関連して、例えば、特許文献１には、伝送装置間に形成される複数の回線で伝送される伝送フレームをデータリンク層で回線毎に多重分離するリンクアグリゲーション方式を備える伝送システムが開示されている。伝送装置は、アグリゲーションスイッチを有する。このアグリゲーションスイッチは、外部のネットワークで使用されるネットワークフレームをＭＲＬ（Ｍｕｌｔｉ−Ｒａｄｉｏ−Ｌｉｎｃ）フレームに組み立て直し、無線リンク毎にＭＲＬフレームを振り分けるとともに、無線リンク毎のＭＲＬフレームを集約してネットワークフレームに組み立て直す。
【先行技術文献】
【特許文献】
【０００４】
【特許文献１】特開２０１０−２５８６０６号公報
【発明の概要】
【発明が解決しようとする課題】
【０００５】
上述した特許文献１においては、無線エントランス部が行う適応変調制御の情報に基づき、前記無線リンク毎に振り分ける前記ＭＲＬフレームの配分を決定するといった記載があるのみであり、具体的に複数の無線回線の帯域に合わせて効率的にデータを振り分けることができないといった課題があった。【０００６】
本発明の目的は、このような課題を解決するためになされたものであり、複数の無線回線の帯域に合わせて効率的にデータを振り分けることが可能な無線通信装置、無線通信システム及び無線通信方法を提供することにある。
【課題を解決するための手段】
【０００７】
本発明にかかる無線通信装置は、データを複数のデータ部分に分割する分割手段と、複数の無線回線ごとに帯域制御を行って通信速度を設定する帯域制御手段と、前記帯域制御手段の帯域制御によって設定された前記複数の無線回線それぞれの通信速度に応じて、前記複数の無線回線それぞれに対応する識別子を、前記複数のデータ部分に付加する付加手段と、前記複数のデータ部分のそれぞれを、当該複数のデータ部分に付加された識別子に基づいて、前記複数の無線回線のいずれかに振り分ける振分手段と、前記複数のデータ部分を、当該複数のデータ部分が振り分けられた前記複数の無線回線を介して、他の無線通信装置に対して送信する送信手段とを有する。【０００８】
本発明にかかる他の無線通信装置は、データが分割されて得られた複数のデータ部分を、複数の無線回線を介して他の無線通信装置からを受信する受信手段と、前記複数の無線回線それぞれに対応して設けられ、前記複数の無線回線それぞれを介して前記受信手段によって受信された前記複数のデータ部分のそれぞれを格納する複数のメモリと、前記複数のメモリから、データ部分を元のデータにおける順序で取り出して組み立てることにより、元のデータを生成する組立手段とを有する。【０００９】
本発明にかかる無線通信システムは、データを送信する第１の無線通信装置と、前記データを受信する第２の無線通信装置とを有し、前記第１の無線通信装置は、データを複数のデータ部分に分割する分割手段と、複数の無線回線ごとに帯域制御を行って通信速度を設定する帯域制御手段と、前記帯域制御手段の帯域制御によって設定された前記複数の無線回線それぞれの通信速度に応じて、前記複数の無線回線それぞれに対応する識別子を、前記複数のデータ部分に付加する付加手段と、前記複数のデータ部分のそれぞれを、当該複数のデータ部分に付加された識別子に基づいて、前記複数の無線回線のいずれかに振り分ける振分手段と、前記複数のデータ部分を、当該複数のデータ部分が振り分けられた前記複数の無線回線を介して、前記第２の無線通信装置に対して送信する送信手段とを有し、前記第２の無線通信装置は、前記複数の無線回線を介して、前記第１の無線通信装置から前記複数のデータ部分を受信する受信手段と、前記複数のデータ部分を組み立てて元のデータを生成する組立手段とを有する。【００１０】
本発明にかかる無線通信方法は、データを複数のデータ部分に分割し、複数の無線回線ごとに帯域制御を行って通信速度を設定し、前記帯域制御によって設定された前記複数の無線回線それぞれの通信速度に応じて、前記複数の無線回線それぞれに対応する識別子を、前記複数のデータ部分に付加し、前記複数のデータ部分のそれぞれを、当該複数のデータ部分に付加された識別子に基づいて、前記複数の無線回線のいずれかに振り分け、前記複数のデータ部分を、当該複数のデータ部分が振り分けられた前記複数の無線回線を介して、他の無線通信装置に対して送信する。
【発明の効果】
【００１１】
本発明によれば、複数の無線回線の帯域に合わせて効率的にデータを振り分けることが可能な無線通信装置、無線通信システム及び無線通信方法を提供できる。
【図面の簡単な説明】
【００１２】
【図１】本発明の実施の形態にかかる無線通信装置の概要を示す図である。
【図２】実施の形態１にかかる無線通信システムを示す図である。
【図３】実施の形態１にかかる無線通信装置の構成を示す図である。
【図４】実施の形態１にかかる分割回路の構成を示す図である。
【図５】実施の形態１にかかる組立回路の構成を示す図である。
【図６】実施の形態１にかかる分割回路で処理される情報を例示する図である。
【図７】実施の形態１にかかる宛先アドレス対応テーブル記憶部に記憶されている宛先アドレス対応テーブルを例示する図である。
【図８】実施の形態１にかかる回線別帯域制御部の処理を説明するためのタイムチャートの例を示す図である。
【図９】図８の例において生成されるパケットを例示する図である。
【図１０】実施の形態１にかかる組立回路で処理される情報を例示する図である。
【図１１】図９の例において、回線別メモリに格納されたデータ部分の順序を例示する図である。
【図１２】送信側の無線通信装置の動作を示すフローチャートである。
【図１３】受信側の無線通信装置の動作を示すフローチャートである。
【発明を実施するための形態】
【００１３】
［本発明にかかる実施の形態の概要］
実施の形態の説明に先立って、図１を用いて、本発明にかかる実施の形態の概要を説明する。図１は、本発明の実施の形態にかかる無線通信装置１の概要を示す図である。図１に示すように、無線通信装置１は、分割手段１２と、帯域制御手段１４と、付加手段１６と、振分手段１８と、送信手段２０とを有する。
【００１４】
分割手段１２は、データを複数のデータ部分に分割する。帯域制御手段１４は、複数の無線回線ごとに帯域制御を行って通信速度を設定する。付加手段１６は、帯域制御手段１４の帯域制御によって設定された複数の無線回線それぞれの通信速度に応じて、複数の無線回線それぞれに対応する識別子を、複数のデータ部分に付加する。
【００１５】
振分手段１８は、複数のデータ部分のそれぞれを、当該複数のデータ部分に付加された識別子に基づいて、複数の無線回線のいずれかに振り分ける。送信手段２０は、複数のデータ部分を、当該複数のデータ部分が振り分けられた複数の無線回線を介して、他の無線通信装置に対して送信する。
本発明の実施の形態にかかる無線通信装置１によれば、複数の無線回線の帯域に合わせて効率的にデータを振り分けることができる。
【００１６】
［実施の形態１］
以下、図面を参照して実施の形態について説明する。
図２は、実施の形態１にかかる無線通信システム５０を示す図である。無線通信システム５０は、無線通信装置Ａ１００Ａ（第１の無線通信装置）と、無線通信装置Ｂ１００Ｂ（第２の無線通信装置）とから構成される。無線通信装置Ａ１００Ａと無線通信装置Ｂ１００Ｂとは、４つの無線回線＃１〜無線回線＃４を介して無線通信可能に接続されている。
【００１７】
また、無線通信装置Ａ１００Ａ及び無線通信装置Ｂ１００Ｂは、それぞれユーザ回線６０Ａ，６０Ｂと接続されている。ユーザ回線６０Ａ，６０Ｂは、例えば通信事業者又はプロバイダ事業者等のネットワークと接続される回線である。無線通信装置Ａ１００Ａ及び無線通信装置Ｂ１００Ｂは、ユーザ回線６０Ａ，６０Ｂを介して、ユーザデータを送受信する。ここで、無線通信システム５０は、例えば、イーサネット（Ethernet）（登録商標）に準拠していてもよい。
【００１８】
無線通信装置Ａ１００Ａは、４つのアンテナ１０２Ａ−１〜１０２Ａ−４を有する。アンテナ１０２Ａ−１は、無線回線＃１を介して電波を送受信する。アンテナ１０２Ａ−２は、無線回線＃２を介して電波を送受信する。アンテナ１０２Ａ−３は、無線回線＃３を介して電波を送受信する。アンテナ１０２Ａ−４は、無線回線＃４を介して電波を送受信する。
【００１９】
同様に、無線通信装置Ｂ１００Ｂは、４つのアンテナ１０２Ｂ−１〜１０２Ｂ−４を有する。アンテナ１０２Ｂ−１は、無線回線＃１を介して電波を送受信する。アンテナ１０２Ｂ−２は、無線回線＃２を介して電波を送受信する。アンテナ１０２Ｂ−３は、無線回線＃３を介して電波を送受信する。アンテナ１０２Ｂ−４は、無線回線＃４を介して電波を送受信する。
【００２０】
ここで、無線通信装置Ａ１００Ａ及び無線通信装置Ｂ１００Ｂは、１つのトラフィックに対して４つの無線回線＃１〜無線回線＃４をボンディングして、無線通信を行っている。言い換えれば、無線通信装置Ａ１００Ａ及び無線通信装置Ｂ１００Ｂは、４つの無線回線＃１〜無線回線＃４についてリンクアグリゲーションを行っている。このように、複数の無線回線をボンディングすることによって、無線通信装置Ａ１００Ａ及び無線通信装置Ｂ１００Ｂは、伝送容量を確保している。
【００２１】
また、無線通信装置Ａ１００Ａは、ユーザ回線を介してユーザデータを受信し、そのユーザデータを複数のデータ部分に分割する。また、無線通信装置Ａ１００Ａは、無線回線＃１〜無線回線＃４について帯域制御を行い、帯域制御がなされた無線回線＃１〜無線回線＃４に、複数のデータ部分を振り分ける。そして、無線通信装置Ａ１００Ａは、振り分けられた複数のデータ部分を、複数のデータ部分が振り分けられた無線回線＃１〜無線回線＃４を介して、無線通信装置Ｂ１００Ｂに対して送信する。また、無線通信装置Ｂ１００Ｂは、無線回線＃１〜無線回線＃４を介して無線通信装置Ａ１００Ａから複数のデータ部分を受信すると、それらの複数のデータ部分を組み立てて、元のユーザデータを生成（復元）する。詳しくは後述する。
【００２２】
なお、以下、無線通信装置Ａ１００Ａから無線通信装置Ｂ１００Ｂに対してデータが伝送されることを前提として説明するが、無線通信装置Ｂ１００Ｂから無線通信装置Ａ１００Ａに対してデータが伝送されてもよい。また、無線通信装置Ａ１００Ａ及び無線通信装置Ｂ１００Ｂは、同じ構成要素を有していてもよい。以下、無線通信装置Ａ１００Ａ及び無線通信装置Ｂ１００Ｂは、同じ構成要素を有していることを前提として説明する。
【００２３】
なお、以下、無線通信装置Ａ１００Ａ及び無線通信装置Ｂ１００Ｂを総称して、無線通信装置１００と称する。また、以下、アンテナ１０２Ａ−１〜１０２Ａ−４のように、複数ある構成要素を区別しないで説明する場合に、アンテナ１０２Ａなどと総称することがある。また、無線通信装置Ａ１００Ａの構成要素か無線通信装置Ｂ１００Ｂの構成要素かを区別しない場合に、アンテナ１０２−１〜１０２−４などと総称することがある。さらに、複数ある構成要素を区別しないで説明する場合に、アンテナ１０２などと総称することがある。
【００２４】
図３は、無線通信装置１００の構成を示す図である。無線通信装置１００は、宛先アドレス対応テーブル記憶部１１０と、分割回路１２０と、回線振分回路１４０と、無線送受信回路１５０−１〜１５０−４と、組立回路１６０とから構成される。ここで、無線送受信回路１５０−１〜１５０−４は、それぞれ、無線回線＃１〜無線回線＃４に対応付けられている。
【００２５】
回線振分回路１４０は、スイッチ回路であって、例えば、ＯＳＩ（Open Systems Interconnection）参照モデルのレイヤ２スイッチ（Ｌ２スイッチ）であってもよい。分割回路１２０及び組立回路１６０は、回線振分回路１４０と電気的に接続されている。ここで、分割回路１２０及び組立回路１６０は、回線振分回路１４０のポートとそれぞれ接続されている。
【００２６】
また、回線振分回路１４０は、無線送受信回路１５０−１〜１５０−４と電気的に接続されている。ここで、無線送受信回路１５０−１は、回線振分回路１４０の無線回線＃１に関するポートに接続されている。同様に、無線送受信回路１５０−２は、回線振分回路１４０の無線回線＃２に関するポートに接続されている。また、無線送受信回路１５０−３は、回線振分回路１４０の無線回線＃３に関するポートに接続されている。さらに、無線送受信回路１５０−４は、回線振分回路１４０の無線回線＃４に関するポートに接続されている。
【００２７】
また、図４は、分割回路１２０の構成を示す図である。分割回路１２０は、データ分割部１２２と、回線別帯域制御部１２４−１〜１２４−４と、パケット生成部１２６−１〜１２６−４と、パケット送信部１２８から構成される。ここで、回線別帯域制御部１２４−１〜１２４−４は、それぞれ、無線回線＃１〜無線回線＃４に対応付けられている。同様に、パケット生成部１２６−１〜１２６−４は、それぞれ、無線回線＃１〜無線回線＃４に対応付けられている。
【００２８】
また、図５は、組立回路１６０の構成を示す図である。組立回路１６０は、パケット受信部１６２と、回線別メモリ１６４−１〜１６４−４と、パケット組立部１６６と、データ送信部１６８とから構成される。ここで、回線別メモリ１６４−１〜１６４−４は、それぞれ、無線回線＃１〜無線回線＃４に対応付けられている。
【００２９】
宛先アドレス対応テーブル記憶部１１０は、例えばメモリで構成されており、図７を用いて後述するような宛先アドレス対応テーブルを記憶している。この宛先アドレス対応テーブルは、システム管理者等によって、適宜、変更可能である。
【００３０】
［送信側］
まず、送信側である無線通信装置Ａ１００Ａの構成要素の動作内容について説明するが、以下に説明する動作内容については、受信側の無線通信装置Ｂ１００Ｂにおいてなされてもよい。
【００３１】
無線送受信回路１５０−１は、アンテナ１０２−１に接続されており、無線回線＃１を介してデータを送受信し、変復調処理を行う。同様に、無線送受信回路１５０−２は、アンテナ１０２−２に接続されており、無線回線＃２を介してデータを送受信し、変復調処理を行う。また、無線送受信回路１５０−３は、アンテナ１０２−３に接続されており、無線回線＃３を介してデータを送受信し、変復調処理を行う。また、無線送受信回路１５０−４は、アンテナ１０２−４に接続されており、無線回線＃４を介してデータを送受信し、変復調処理を行う。
【００３２】
また、無線送受信回路１５０−１は、無線回線＃１における電波状況を監視しており、電波状況に応じて適応変調処理を行い、変調方式を、適宜、変更している。例えば、無線送受信回路１５０−１が、ＡＭＲ（Adaptive Modulation Radio）制御に対応している場合、無線送受信回路１５０−１は、天候変動等により無線回線状況が変化、つまり、無線回線の品質が劣化等すると、それに合わせて変調方式を変更し、無線帯域を変動させる。例えば、変調方式として多値変調方式である１６ＱＡＭ、６４ＱＡＭ及び２５６ＱＡＭ等を用いる場合、無線回線状況に応じてこれらの変調方式の中から１つの変調方式を選択して使用してもよい。
【００３３】
さらに、無線送受信回路１５０−１は、変調方式に応じて無線回線＃１の無線帯域（帯域幅）を決定する。この決定された無線帯域は、許容しうる最大（又は最小）の無線帯域（通信速度）であってもよい。また、無線送受信回路１５０−１は、無線回線＃１の無線帯域を示す無線帯域情報＃１を生成する。さらに、無線送受信回路１５０−１は、無線帯域情報＃１を、分割回路１２０の回線別帯域制御部１２４−１に対して送信する。
【００３４】
なお、無線送受信回路１５０−２〜１５０−４についても、それぞれ無線回線＃２〜無線回線＃４について、無線送受信回路１５０−１と同様に、上述したような適応変調処理を行う。また、無線送受信回路１５０−１と同様に、無線送受信回路１５０−２〜１５０−４は、それぞれ無線回線＃２〜無線回線＃４の無線帯域を示す無線帯域情報＃２〜無線帯域情報＃４を生成する。そして、無線送受信回路１５０−２は、無線帯域情報＃２を、分割回路１２０の回線別帯域制御部１２４−２に対して送信する。また、無線送受信回路１５０−３は、無線帯域情報＃３を、分割回路１２０の回線別帯域制御部１２４−３に対して送信する。また、無線送受信回路１５０−４は、無線帯域情報＃４を、分割回路１２０の回線別帯域制御部１２４−４に対して送信する。
【００３５】
図６は、分割回路１２０で処理される情報を例示する図である。以下、図４及び図６を用いて、分割回路１２０について説明する。データ分割部１２２は、データ回線６０を介して、図６（Ａ）に例示するユーザデータを受信する。図６（Ａ）に例示するように、ユーザデータは、ヘッダと、ユーザデータの内容（コンテンツ等）を示すペイロードと、誤り検出情報とを含む。
【００３６】
ヘッダは、ユーザデータに関する情報を示し、例えば、ＤＡ（Destination Address：宛先アドレス）と、ＳＡ（Source Address：送信元アドレス）と、ＶＩＤ（VLAN(Virtual Local Area Network) ID）と、タイプ情報とを含んでもよい。ＤＡは、例えば送信先ＭＡＣ（Media Access Control）アドレスであって、ユーザデータの送信先のノードのアドレスを示す。ＳＡは、例えば送信元ＭＡＣアドレスであって、ユーザデータの送信元のノードのアドレスを示す。ＶＩＤは、使用されているＶＬＡＮの識別子を示す。タイプ情報は、例えば、ペイロードのプロトコルの種類又はペイロードのデータ長を示す。
また、誤り検出情報は、例えばＦＣＳ（Frame Check Sequence）であって、ＣＲＣ（Cyclic Redundancy Check）等を用いてデータ誤りを検出するための情報である。
【００３７】
また、データ分割部１２２は、ユーザデータをデータ部分＃１〜＃Ｎ（Ｎは１以上の整数）に分割する。ここで、データ部分＃１〜＃Ｎのサイズは互いに同じであってもよく、例えば２５６バイトの予め定められた固定長であってもよい。なお、この固定長のサイズは、流れているトラフィックにおける全体のデータ通信量によって変動してもよい。例えば、トラフィックにおける全体のデータ通信量が大きい場合には、データ部分＃１〜＃Ｎのサイズを大きくしてもよい。
【００３８】
また、この場合、最後のデータ部分（データ部分＃Ｎ）のサイズが他のデータ部分＃１〜＃（Ｎ−１）のサイズよりも小さくなるときには、空白のデータ（ゼロデータ）を付加することによって最後のデータ部分＃Ｎのサイズを他のデータ部分＃１〜＃（Ｎ−１）のサイズと同じとしてもよい。あるいは、データ分割部１２２は、ユーザデータのヘッダに含まれるタイプ情報に示されたデータ長を参照して、データ部分＃１〜＃Ｎのサイズが均等になるように、ユーザデータを分割してもよい。この場合、データ部分＃１〜＃Ｎのサイズは、固定長よりも少し大きく（又は小さく）なってもよい。
【００３９】
また、データ部分＃１〜＃Ｎには、ユーザデータのペイロードだけでなく、ヘッダ及び誤り検出情報も含む。つまり、データ分割部１２２は、ユーザデータの全てについて分割し、データ部分＃１〜＃Ｎを生成する。
【００４０】
さらに、データ分割部１２２は、図６（Ｂ）に例示するように、分割されたデータ部分＃１〜＃Ｎそれぞれに順序情報＃１〜＃Ｎを付加する。ここで、順序情報は、データ部分＃１〜＃Ｎそれぞれのシーケンス番号である。つまり、例えば、１番目のデータ部分であるデータ部分＃１に付加される順序情報＃１は、１番目であることを示すシーケンス番号である。この順序情報が付加されることにより、後述するように、受信側の無線通信装置１００において、データ部分＃１〜＃Ｎを元のユーザデータに復元することができる。なお、順序情報は、オーバヘッド（ＯＨ：overhead）等の制御情報であってもよい。
【００４１】
なお、順序情報＃１〜＃Ｎのサイズは互いに同じであってもよい。つまり、データ部分＃１〜＃Ｎのサイズが同じであるので、データ部分＃１〜＃Ｎそれぞれと順序情報＃１〜＃Ｎとが結合したデータ（図６（Ｂ）に示したデータ）は、互いに同じサイズとなる。
【００４２】
回線別帯域制御部１２４−１〜１２４−４は、それぞれ、無線回線＃１〜＃４について帯域制御を行う。以下、回線別帯域制御部１２４−１について説明するが、回線別帯域制御部１２４−２〜１２４−４についても同様である。
【００４３】
回線別帯域制御部１２４−１は、無線送受信回路１５０−１から、無線回線＃１に関する無線帯域情報＃１を受信する。回線別帯域制御部１２４−１は、この無線帯域情報＃１を用いて、無線回線＃１における通信速度を設定する。例えば、回線別帯域制御部１２４−１は、トラフィック及び無線回線＃１の混雑状況に応じて、無線帯域情報＃１に示された無線帯域（許容通信速度）を逸脱しない範囲で、通信速度を設定してもよい。
なお、回線別帯域制御部１２４−２〜１２４−４についても同様に、無線送受信回路１５０−２〜１５０−４からの無線回線＃２〜無線回線＃４に関する無線帯域情報＃２〜無線帯域情報＃４を用いて、無線回線＃２〜無線回線＃４における通信速度を設定する。
【００４４】
また、回線別帯域制御部１２４−１は、無線回線＃１について設定された通信速度に応じた頻度でカウントを行い、カウントを行うごとに、データ分割部１２２から、図６（Ｂ）に例示したような順序情報が付加されたデータ部分を、１つ取得する。具体的には、回線別帯域制御部１２４−１は、設定された通信速度に応じて、カウントの頻度（カウント頻度）を算出する。このカウント頻度は、通信速度に比例してもよい。また、回線別帯域制御部１２４−１は、算出されたカウント頻度でカウントを行うごとに、データ分割部１２２に対し、順序情報が付加されたデータ部分を要求する。
データ分割部１２２は、回線別帯域制御部１２４−１から要求を受け付けると、順序情報が付加されたデータ部分を、１つ、回線別帯域制御部１２４−１に対して送出する。
【００４５】
なお、回線別帯域制御部１２４−２〜１２４−４についても同様に、それぞれ、無線回線＃２〜無線回線＃４について設定された通信速度に応じた頻度でカウントを行う。そして、回線別帯域制御部１２４−２〜１２４−４は、カウントを行うごとに、データ分割部１２２から、順序情報が付加されたデータ部分を、１つ取得する。
【００４６】
言い換えれば、回線別帯域制御部１２４−１〜１２４−４は、それぞれ、無線回線＃１〜無線回線＃４について設定された通信速度に応じてデータ部分を取得することによって、無線回線＃１〜無線回線＃４について設定された通信速度に応じて、データ部分＃１〜＃Ｎそれぞれについて無線回線＃１〜無線回線＃４のいずれかを対応付けている。
さらに、回線別帯域制御部１２４−１〜１２４−４は、取得した、順序情報が付加されたデータ部分を、それぞれ、パケット生成部１２６−１〜１２６−４に対して出力する。
【００４７】
パケット生成部１２６−１〜１２６−４は、それぞれ回線別帯域制御部１２４−１〜１２４−４から、順序情報が付加されたデータ部分を受け付けると、このデータにヘッダ等を付加して、パケット化し、パケットを生成する。具体的には、パケット生成部１２６は、図６（Ｃ）に例示するように、順序情報が付加されたデータ部分に、ヘッダと誤り検出情報とを付加して、パケットを生成する。
【００４８】
ヘッダは、後述する宛先アドレスと、ヘッダ情報とを含む。宛先アドレスは、一般的には無線回線の識別子を示すデータである。ヘッダ情報は、上述したＳＡと、ＶＩＤと、タイプ情報とを含んでもよい。ＳＡ及びＶＩＤは、ユーザデータに含まれるヘッダ（図６（Ａ））に含まれるものと同じであってもよいし、異なるものであってもよい。また、誤り検出情報は、上述したＦＣＳであってもよい。
ここで、パケット生成部１２６−１〜１２６−４は、宛先アドレス対応テーブル記憶部１１０を参照して、それぞれの順序情報が付加されたデータ部分に対して、自身に関連付けられた無線回線に対応する宛先アドレスを付加する。
【００４９】
図７は、宛先アドレス対応テーブル記憶部１１０に記憶されている宛先アドレス対応テーブルを例示する図である。図７に例示するように、無線回線＃１には、宛先アドレス＃１が対応付けられている。無線回線＃２には、宛先アドレス＃２が対応付けられている。無線回線＃３には、宛先アドレス＃３が対応付けられている。無線回線＃４には、宛先アドレス＃４が対応付けられている。
【００５０】
例えば、パケット生成部１２６−１は、宛先アドレス対応テーブルを参照し、受け付けたデータ部分をパケット化する際に、無線回線＃１と対応付けられた宛先アドレス＃１を、データ部分に付加する。同様に、パケット生成部１２６−２は、無線回線＃２と対応付けられた宛先アドレス＃２を、受け付けたデータ部分に付加する。パケット生成部１２６−３は、無線回線＃３と対応付けられた宛先アドレス＃３を、受け付けたデータ部分に付加する。パケット生成部１２６−４は、無線回線＃４と対応付けられた宛先アドレス＃４を、受け付けたデータ部分に付加する。
【００５１】
また、パケット生成部１２６−１〜１２６−４は、生成したパケットを、パケット送信部１２８に対して出力する。パケット送信部１２８は、受け付けたパケットを、回線振分回路１４０に対して送信する。
【００５２】
ここで、回線別帯域制御部１２４及びパケット生成部１２６の処理について、図８及び図９を用いて具体例を挙げて説明する。図８は、回線別帯域制御部１２４の処理を説明するためのタイムチャートの例を示す図である。また、図９は、図８の例において生成されるパケットを例示する図である。
例えば、データ分割部１２２によって、ユーザデータが８つのデータ部分＃１〜＃８に分割されたとする。このとき、データ分割部１２２は、データ部分＃１〜＃８に、それぞれ、順序情報＃１〜＃８を付加する。
【００５３】
さらに、例えば、回線別帯域制御部１２４−１が、無線回線＃１の通信速度を４００Ｍｂｐｓと設定したとする。また、回線別帯域制御部１２４−２が、無線回線＃２の通信速度を２００Ｍｂｐｓと設定したとする。また、回線別帯域制御部１２４−３が、無線回線＃３の通信速度を１００Ｍｂｐｓと設定したとする。さらに、回線別帯域制御部１２４−４が、無線回線＃４の通信速度を１００Ｍｂｐｓと設定したとする。つまり、無線回線＃１の通信速度は、無線回線＃３，無線回線＃４の通信速度と比較して４倍である。また、無線回線＃１の通信速度は、無線回線＃２の通信速度と比較して２倍である。
【００５４】
この場合、図８に示すように、一定期間Ｔ１の間に、回線別帯域制御部１２４−１が４回（時刻ｔ１，時刻ｔ３，時刻ｔ６，時刻ｔ８）カウントすると仮定すると、回線別帯域制御部１２４−２は２回（時刻ｔ２，時刻ｔ７）カウントし、回線別帯域制御部１２４−３は１回（時刻ｔ４）カウントする。回線別帯域制御部１２４−４は１回（時刻ｔ５）カウントする。なお、ｔ４とｔ５とは同じ時刻であってもよい。
【００５５】
回線別帯域制御部１２４−１は、ｔ１におけるカウントのときに、データ分割部１２２から、順序情報＃１が付加されたデータ部分＃１を取得し、パケット生成部１２６−１に対して出力する。パケット生成部１２６−１は、図９に例示するように、順序情報＃１が付加されたデータ部分＃１に、無線回線＃１に対応する宛先アドレス＃１と、ヘッダ情報及び誤り検出情報とを付加し、データ部分＃１に関するパケット＃１を生成する。
【００５６】
回線別帯域制御部１２４−２は、ｔ２におけるカウントのときに、データ分割部１２２から、順序情報＃２が付加されたデータ部分＃２を取得し、パケット生成部１２６−２に対して出力する。パケット生成部１２６−２は、図９に例示するように、順序情報＃２が付加されたデータ部分＃２に、無線回線＃２に対応する宛先アドレス＃２と、ヘッダ情報及び誤り検出情報とを付加し、データ部分＃２に関するパケット＃２を生成する。
【００５７】
回線別帯域制御部１２４−１は、ｔ３におけるカウントのときに、データ分割部１２２から、順序情報＃３が付加されたデータ部分＃３を取得し、パケット生成部１２６−１に対して出力する。パケット生成部１２６−１は、図９に例示するように、順序情報＃３が付加されたデータ部分＃３に、無線回線＃１に対応する宛先アドレス＃１と、ヘッダ情報及び誤り検出情報とを付加し、データ部分＃３に関するパケット＃３を生成する。
【００５８】
回線別帯域制御部１２４−３は、ｔ４におけるカウントのときに、データ分割部１２２から、順序情報＃４が付加されたデータ部分＃４を取得し、パケット生成部１２６−３に対して出力する。パケット生成部１２６−３は、図９に例示するように、順序情報＃４が付加されたデータ部分＃４に、無線回線＃３に対応する宛先アドレス＃３と、ヘッダ情報及び誤り検出情報とを付加し、データ部分＃４に関するパケット＃４を生成する。
【００５９】
回線別帯域制御部１２４−４は、ｔ５におけるカウントのときに、データ分割部１２２から、順序情報＃５が付加されたデータ部分＃５を取得し、パケット生成部１２６−４に対して出力する。パケット生成部１２６−４は、図９に例示するように、順序情報＃５が付加されたデータ部分＃５に、無線回線＃４に対応する宛先アドレス＃４と、ヘッダ情報及び誤り検出情報とを付加し、データ部分＃５に関するパケット＃５を生成する。
【００６０】
回線別帯域制御部１２４−１は、ｔ６におけるカウントのときに、データ分割部１２２から、順序情報＃６が付加されたデータ部分＃６を取得し、パケット生成部１２６−１に対して出力する。パケット生成部１２６−１は、図９に例示するように、順序情報＃６が付加されたデータ部分＃６に、無線回線＃１に対応する宛先アドレス＃１と、ヘッダ情報及び誤り検出情報とを付加し、データ部分＃６に関するパケット＃６を生成する。
【００６１】
回線別帯域制御部１２４−２は、ｔ７におけるカウントのときに、データ分割部１２２から、順序情報＃７が付加されたデータ部分＃７を取得し、パケット生成部１２６−２に対して出力する。パケット生成部１２６−２は、図９に例示するように、順序情報＃７が付加されたデータ部分＃７に、無線回線＃２に対応する宛先アドレス＃２と、ヘッダ情報及び誤り検出情報とを付加し、データ部分＃７に関するパケット＃７を生成する。
【００６２】
回線別帯域制御部１２４−１は、ｔ８におけるカウントのときに、データ分割部１２２から、順序情報＃８が付加されたデータ部分＃８を取得し、パケット生成部１２６−１に対して出力する。パケット生成部１２６−１は、図９に例示するように、順序情報＃８が付加されたデータ部分＃８に、無線回線＃１に対応する宛先アドレス＃１と、ヘッダ情報及び誤り検出情報とを付加し、データ部分＃８に関するパケット＃８を生成する。
【００６３】
回線振分回路１４０（図３）は、分割回路１２０からのパケットを、このパケットに含まれる宛先アドレスに基づいて、無線回線＃１〜無線回線＃４のいずれかに振り分ける。具体的には、分割回路１２０からのパケットに含まれる宛先アドレスと、図７に例示した宛先アドレス対応テーブルとを参照して、その宛先アドレスに対応する無線送受信回路１５０−１〜１５０−４に対して、そのパケットを送信してもよい。
【００６４】
例えば、回線振分回路１４０は、パケットに含まれる宛先アドレスが宛先アドレス＃１である場合には、宛先アドレス対応テーブルを参照して、その宛先アドレス＃１が無線回線＃１に対応することを検知する。したがって、回線振分回路１４０は、そのパケットを、無線回線＃１に対応する無線送受信回路１５０−１に対して送信する。
【００６５】
また、回線振分回路１４０は、パケットに含まれる宛先アドレスが宛先アドレス＃２である場合には、宛先アドレス対応テーブルを参照して、その宛先アドレス＃２が無線回線＃２に対応することを検知する。したがって、回線振分回路１４０は、そのパケットを、無線回線＃２に対応する無線送受信回路１５０−２に対して送信する。
【００６６】
また、回線振分回路１４０は、パケットに含まれる宛先アドレスが宛先アドレス＃３である場合には、宛先アドレス対応テーブルを参照して、その宛先アドレス＃３が無線回線＃３に対応することを検知する。したがって、回線振分回路１４０は、そのパケットを、無線回線＃３に対応する無線送受信回路１５０−３に対して送信する。
【００６７】
また、回線振分回路１４０は、パケットに含まれる宛先アドレスが宛先アドレス＃４である場合には、宛先アドレス対応テーブルを参照して、その宛先アドレス＃４が無線回線＃４に対応することを検知する。したがって、回線振分回路１４０は、そのパケットを、無線送受信回路１５０−４に対して送信する。
【００６８】
なお、回線振分回路１４０において無線送受信回路１５０−１〜１５０−４と接続されているポートが、それぞれ、宛先アドレス＃１〜＃４に対応付けられている場合には、回線振分回路１４０は、宛先アドレス対応テーブルを参照しなくてもよい。つまり、この場合、回線振分回路１４０は、パケットに含まれる宛先アドレス（例えば宛先アドレス＃１）を検出すると、その宛先アドレス（例えば宛先アドレス＃１）に対応するポートに接続された無線送受信回路１５０（例えば無線送受信回路１５０−１）に、そのパケットを振り分ける。
【００６９】
このように、無線回線＃１〜＃４に対応した宛先アドレス＃１〜＃４がパケットに含まれているので、回線振分回路１４０は、その宛先アドレスを参照して、その宛先アドレスに対応付けられたポートに、そのパケットを流すことができる。したがって、回線振分回路１４０として汎用のＬ２スイッチを用いて、複数の無線回線へのパケットの振り分けを実現することができる。
【００７０】
さらに、図８及び図９に示した例でさらに説明する。
回線振分回路１４０は、図９に例示したパケット＃１を受信すると、宛先アドレスが宛先アドレス＃１であることを検出する。したがって、回線振分回路１４０は、パケット＃１を無線送受信回路１５０−１に対して送信する。
次に、回線振分回路１４０は、図９に例示したパケット＃２を受信すると、宛先アドレスが宛先アドレス＃２であることを検出する。したがって、回線振分回路１４０は、パケット＃２を無線送受信回路１５０−２に対して送信する。
【００７１】
次に、回線振分回路１４０は、図９に例示したパケット＃３を受信すると、宛先アドレスが宛先アドレス＃１であることを検出する。したがって、回線振分回路１４０は、パケット＃３を無線送受信回路１５０−１に対して送信する。
次に、回線振分回路１４０は、図９に例示したパケット＃４を受信すると、宛先アドレスが宛先アドレス＃３であることを検出する。したがって、回線振分回路１４０は、パケット＃４を無線送受信回路１５０−３に対して送信する。
【００７２】
次に、回線振分回路１４０は、図９に例示したパケット＃５を受信すると、宛先アドレスが宛先アドレス＃４であることを検出する。したがって、回線振分回路１４０は、パケット＃５を無線送受信回路１５０−４に対して送信する。
次に、回線振分回路１４０は、図９に例示したパケット＃６を受信すると、宛先アドレスが宛先アドレス＃１であることを検出する。したがって、回線振分回路１４０は、パケット＃６を無線送受信回路１５０−１に対して送信する。
【００７３】
次に、回線振分回路１４０は、図９に例示したパケット＃７を受信すると、宛先アドレスが宛先アドレス＃２であることを検出する。したがって、回線振分回路１４０は、パケット＃７を無線送受信回路１５０−２に対して送信する。
次に、回線振分回路１４０は、図９に例示したパケット＃８を受信すると、宛先アドレスが宛先アドレス＃１であることを検出する。したがって、回線振分回路１４０は、パケット＃８を無線送受信回路１５０−１に対して送信する。
【００７４】
無線送受信回路１５０−１〜１５０−４は、回線振分回路１４０から振り分けられたパケット（ディジタル信号）について、それぞれ設定されている変調方式で変調処理を行い、増幅等の処理を行って、それぞれ無線回線＃１〜無線回線＃４を介して、受信側（無線通信装置Ｂ１００Ｂ）に対して電波を送信する。つまり、無線送受信回路１５０−１は、宛先アドレス＃１が含まれるパケット（図９の例ではパケット＃１，＃３，＃６，＃８）を、無線回線＃１を介して、受信側（無線通信装置Ｂ１００Ｂ）に対して送信する。
【００７５】
同様に、無線送受信回路１５０−２は、宛先アドレス＃２が含まれるパケット（図９の例ではパケット＃２，＃７）を、無線回線＃２を介して、受信側（無線通信装置Ｂ１００Ｂ）に対して送信する。また、無線送受信回路１５０−３は、宛先アドレス＃３が含まれるパケット（図９の例ではパケット＃４）を、無線回線＃３を介して、受信側（無線通信装置Ｂ１００Ｂ）に対して送信する。また、無線送受信回路１５０−４は、宛先アドレス＃４が含まれるパケット（図９の例ではパケット＃５）を、無線回線＃４を介して、受信側（無線通信装置Ｂ１００Ｂ）に対して送信する。
【００７６】
このように、実施の形態１においては、無線通信装置１００は、複数の無線回線ごとに帯域制御を行って通信速度を設定するので、通信速度の速い無線回線には、多くのパケットが流れるようになり、通信速度の遅い無線回線には、少ないパケットが流れるようになる。したがって、複数の無線回線の帯域に合わせて効率的にデータを分割して振り分けることが可能となる。
【００７７】
さらに、実施の形態１においては、無線送受信回路１５０−１〜１５０−４によって都度なされている適応変調処理によって変調方式が変更された場合であっても、回線別帯域制御部１２４−１〜１２４−４は、その時点での無線帯域を反映して、帯域制御を行う。したがって、適応変調処理がなされた場合でも、複数の無線回線の帯域に合わせて効率的にデータを分割して振り分けることが可能となる。
【００７８】
さらに、実施の形態１においては、無線通信装置１００は、データを複数のデータ部分に分割し、そのデータ部分について、無線回線に対応する宛先アドレス（識別子）を付加する。これによって、上述したように、回線振分回路１４０においてさらに効率的にデータ部分を振り分けることが可能となる。
【００７９】
さらに、実施の形態１においては、回線別帯域制御部１２４−１〜１２４−４が、無線回線＃１〜無線回線＃４についてそれぞれ独立して帯域制御して各無線回線について通信速度を設定している。そして、回線別帯域制御部１２４−１〜１２４−４が、それぞれ、その設定された通信速度に応じた数のデータ部分＃１〜＃Ｎを取得している。これにより、複数の無線回線ごとに帯域制御がなされて設定された通信速度に応じて、分割されたデータを各無線回線に振り分けることが可能となる。
【００８０】
また、実施の形態１においては、回線別帯域制御部１２４−１〜１２４−４及びパケット生成部１２６−１〜１２６−４を、無線回線＃１〜無線回線＃４ごとに設けている。これによって、複数の無線回線ごとにデータ部分を処理することができ、したがって、処理の簡素化を図ることが可能となる。
【００８１】
さらに、実施の形態１においては、データ部分＃１〜＃Ｎのサイズが互いに同じとなっている。これによって、回線別帯域制御部１２４−１〜１２４−４が通信速度に応じてデータ部分を取得する際の処理が簡素化される。つまり、仮に、データ部分＃１〜＃Ｎのサイズが異なるものであるとすると、回線別帯域制御部１２４−１〜１２４−４は、データ部分＃１〜＃Ｎを取得するたびに、データ部分＃１〜＃Ｎのサイズを検出しなければならず、処理時間の増加につながる。
【００８２】
［受信側］
次に、受信側である無線通信装置Ｂ１００Ｂの構成要素の動作内容について説明するが、以下に説明する動作内容については、送信側においてなされてもよい。
無線送受信回路１５０−１〜１５０−４は、それぞれ無線回線＃１〜無線回線＃４を介して、パケットが含まれる電波を受信する。無線送受信回路１５０−１〜１５０−４は、受信した電波に対して増幅等の処理を行い、それぞれ設定されている復調方式で復調処理を行う。さらに、無線送受信回路１５０−１〜１５０−４は、復調処理によって得られたパケット（ディジタル信号）を、回線振分回路１４０に対して送信する。
回線振分回路１４０は、無線送受信回路１５０−１〜１５０−４から受信したパケットを、組立回路１６０に対して送信する。
【００８３】
図１０は、組立回路１６０で処理される情報を例示する図である。以下、図５及び図１０を用いて、組立回路１６０について説明する。パケット受信部１６２は、回線振分回路１４０から、図１０（Ａ）に例示するパケットを受信する。また、パケット受信部１６２は、受信したパケットに含まれる宛先アドレスと、図７に例示した宛先アドレス対応テーブルとを参照して、その宛先アドレスに対応する回線別メモリ１６４−１〜１６４−４に対して、パケットを出力する。
【００８４】
例えば、パケット受信部１６２は、パケットに含まれる宛先アドレスが宛先アドレス＃１である場合には、宛先アドレス対応テーブルを参照して、その宛先アドレス＃１が無線回線＃１に対応することを検知する。したがって、パケット受信部１６２は、そのパケットを、無線回線＃１に対応する回線別メモリ１６４−１に対して出力する。
【００８５】
また、パケット受信部１６２は、パケットに含まれる宛先アドレスが宛先アドレス＃２である場合には、宛先アドレス対応テーブルを参照して、その宛先アドレス＃２が無線回線＃２に対応することを検知する。したがって、パケット受信部１６２は、そのパケットを、無線回線＃２に対応する回線別メモリ１６４−２に対して出力する。
【００８６】
また、パケット受信部１６２は、パケットに含まれる宛先アドレスが宛先アドレス＃３である場合には、宛先アドレス対応テーブルを参照して、その宛先アドレス＃３が無線回線＃３に対応することを検知する。したがって、パケット受信部１６２は、そのパケットを、無線回線＃３に対応する回線別メモリ１６４−３に対して出力する。
【００８７】
また、パケット受信部１６２は、パケットに含まれる宛先アドレスが宛先アドレス＃４である場合には、宛先アドレス対応テーブルを参照して、その宛先アドレス＃４が無線回線＃４に対応することを検知する。したがって、パケット受信部１６２は、そのパケットを、無線回線＃４に対応する回線別メモリ１６４−４に対して出力する。
【００８８】
回線別メモリ１６４−１〜１６４−４は、例えばバッファ等のメモリである。回線別メモリ１６４−１〜１６４−４は、パケットを受信して格納し、パケット組立部１６６からの要求に応じてパケットをパケット組立部１６６に対して出力する。なお、回線別メモリ１６４−１〜１６４−４は、１つのユーザデータに関する全てのパケットを格納した場合に、一斉に、パケット組立部１６６に対してパケットを出力してもよい。
【００８９】
回線別メモリ１６４−１は、宛先アドレス＃１が含まれるパケットを格納する。例えば図９の例では、回線別メモリ１６４−１は、パケット＃１，＃３，＃６，＃８を格納する。回線別メモリ１６４−２は、宛先アドレス＃２が含まれるパケットを格納する。例えば図９の例では、回線別メモリ１６４−２は、パケット＃２，＃７を格納する。回線別メモリ１６４−３は、宛先アドレス＃３が含まれるパケットを格納する。例えば図９の例では、回線別メモリ１６４−３は、パケット＃４を格納する。回線別メモリ１６４−４は、宛先アドレス＃４が含まれるパケットを格納する。例えば図９の例では、回線別メモリ１６４−４は、パケット＃５を格納する。
【００９０】
パケット組立部１６６は、回線別メモリ１６４からパケットを受け付けると、パケットに含まれる順序情報を用いてデータ部分を組み立てて、ユーザデータを生成（復元）する。具体的には、まず、パケット組立部１６６は、図１０（Ｂ）に例示するように、ヘッダ及び誤り検出情報を除去する。なお、ヘッダ及び誤り検出情報を除去するのは、回線別メモリ１６４であってもよい。
【００９１】
そして、パケット組立部１６６は、データ部分＃１〜＃Ｎに付加されている順序情報＃１〜＃Ｎの順序で、データ部分＃１〜＃Ｎを組み立てる。例えば、パケット組立部１６６は、順序情報＃１が付加されたデータ部分＃１を１番目に並べ、順序情報＃２が付加されたデータ部分＃２を２番目に並べるといったように各データ部分を並べ、それらを結合する。これによって、図１０（Ｃ）に例示するようなユーザデータが生成される。
【００９２】
さらに、パケット組立部１６６は、生成されたユーザデータを、データ送信部１６８に対して出力する。データ送信部１６８は、データ回線６０（６０Ｂ）に対して、ユーザデータを送信する。
【００９３】
ここで、上述したように、回線別メモリ１６４−１〜１６４−４においてヘッダ及び誤り検出情報を除去するように構成されたとする。このとき、回線別メモリ１６４−１〜１６４−４が無線回線ごとに設けられていることから、無線回線＃１〜無線回線＃４を介して伝送されたデータ部分（パケット）は、回線別メモリ１６４−１〜１６４−４それぞれにおいて、元のユーザデータにおけるデータ部分の順序通りに格納されている。図１１には、図９の例において、回線別メモリ１６４−１〜１６４−４に格納されたデータ部分の順序を例示する図が示されている。
【００９４】
例えば、図１１に例示するように、回線別メモリ１６４−１には、順序が１番目であるデータ部分＃１と、順序が３番目であるデータ部分＃３と、順序が６番目であるデータ部分＃６と、順序が８番目であるデータ部分＃８とが、この順序で格納されている。同様に、回線別メモリ１６４−２には、順序が２番目であるデータ部分＃２と、順序が７番目であるデータ部分＃７とが、この順序で格納されている。同様に、回線別メモリ１６４−３には、順序が４番目であるデータ部分＃４が格納されている。回線別メモリ１６４−４には、順序が５番目であるデータ部分＃５が格納されている。
【００９５】
このとき、パケット組立部１６６は、回線別メモリ１６４−１〜１６４−４それぞれについて、先頭に格納されたデータ部分に付加された順序情報を検出する。そして、回線別メモリ１６４−１〜１６４−４それぞれに格納された先頭のデータ部分のうち、順序が最も早いものを取り出す。
【００９６】
図１１に例示するように、回線別メモリ１６４−１の先頭に格納されているのは、１番目を示す順序情報＃１が付加されたデータ部分＃１である。回線別メモリ１６４−２の先頭に格納されているのは、２番目を示す順序情報＃２が付加されたデータ部分＃２である。回線別メモリ１６４−３の先頭に格納されているのは、４番目を示す順序情報＃４が付加されたデータ部分＃４である。回線別メモリ１６４−４の先頭に格納されているのは、５番目を示す順序情報＃５が付加されたデータ部分＃５である。
【００９７】
したがって、パケット組立部１６６は、まず、回線別メモリ１６４−１から、１番目を示す順序情報＃１が付加されたデータ部分＃１を取り出す。このとき、回線別メモリ１６４−１の先頭には、３番目を示す順序情報＃３が付加されたデータ部分＃３が来る。
【００９８】
次に、パケット組立部１６６は、回線別メモリ１６４−１〜１６４−４それぞれについて、先頭に格納されたデータ部分に付加された順序情報を検出する。このとき、最も早い番号であるのは、２番目（回線別メモリ１６４−２に格納されているデータ部分＃２）である。したがって、パケット組立部１６６は、回線別メモリ１６４−２から、２番目を示す順序情報＃２が付加されたデータ部分＃２を取り出す。このとき、回線別メモリ１６４−２の先頭には、７番目を示す順序情報＃７が付加されたデータ部分＃７が来る。さらに、パケット組立部１６６は、既に取り出してあったデータ部分＃１の後ろに、取り出したデータ部分＃２を結合する。
【００９９】
なお、無線回線＃２の伝送遅延によって、回線別メモリ１６４−２に、次の順番である２番目を示す順序情報＃２が付加されたデータ部分＃２が格納されていない場合には、パケット組立部１６６は、順序情報＃２が付加されたデータ部分＃２が格納されるまで処理を中断してもよい。
【０１００】
次に、パケット組立部１６６は、回線別メモリ１６４−１〜１６４−４それぞれについて、先頭に格納されたデータ部分に付加された順序情報を検出する。このとき、最も早い番号であるのは、３番目（回線別メモリ１６４−１に格納されているデータ部分＃３）である。したがって、パケット組立部１６６は、回線別メモリ１６４−１から、３番目を示す順序情報＃３が付加されたデータ部分＃３を取り出す。このとき、回線別メモリ１６４−１の先頭には、６番目を示す順序情報＃６が付加されたデータ部分＃６が来る。さらに、パケット組立部１６６は、既に取り出してあったデータ部分＃２の後ろに、取り出したデータ部分＃３を結合する。
【０１０１】
次に、パケット組立部１６６は、回線別メモリ１６４−１〜１６４−４それぞれについて、先頭に格納されたデータ部分に付加された順序情報を検出する。このとき、最も早い番号であるのは、４番目（回線別メモリ１６４−３に格納されているデータ部分＃４）である。したがって、パケット組立部１６６は、回線別メモリ１６４−３から、４番目を示す順序情報＃４が付加されたデータ部分＃４を取り出す。このとき、回線別メモリ１６４−３に格納されたデータはなくなる。さらに、パケット組立部１６６は、既に取り出してあったデータ部分＃３の後ろに、取り出したデータ部分＃４を結合する。
【０１０２】
次に、パケット組立部１６６は、回線別メモリ１６４−１〜１６４−４それぞれについて、先頭に格納されたデータ部分に付加された順序情報を検出する。このとき、最も早い番号であるのは、５番目（回線別メモリ１６４−４に格納されているデータ部分＃５）である。したがって、パケット組立部１６６は、回線別メモリ１６４−４から、５番目を示す順序情報＃５が付加されたデータ部分＃５を取り出す。このとき、回線別メモリ１６４−４に格納されたデータはなくなる。さらに、パケット組立部１６６は、既に取り出してあったデータ部分＃４の後ろに、取り出したデータ部分＃５を結合する。
【０１０３】
次に、パケット組立部１６６は、回線別メモリ１６４−１〜１６４−４それぞれについて、先頭に格納されたデータ部分に付加された順序情報を検出する。このとき、最も早い番号であるのは、６番目（回線別メモリ１６４−１に格納されているデータ部分＃６）である。したがって、パケット組立部１６６は、回線別メモリ１６４−１から、６番目を示す順序情報＃６が付加されたデータ部分＃６を取り出す。このとき、回線別メモリ１６４−１の先頭には、８番目を示す順序情報＃８が付加されたデータ部分＃８が来る。さらに、パケット組立部１６６は、既に取り出してあったデータ部分＃５の後ろに、取り出したデータ部分＃６を結合する。
【０１０４】
次に、パケット組立部１６６は、回線別メモリ１６４−１〜１６４−４それぞれについて、先頭に格納されたデータ部分に付加された順序情報を検出する。このとき、最も早い番号であるのは、７番目（回線別メモリ１６４−２に格納されているデータ部分＃７）である。したがって、パケット組立部１６６は、回線別メモリ１６４−２から、７番目を示す順序情報＃７が付加されたデータ部分＃７を取り出す。このとき、回線別メモリ１６４−２に格納されたデータはなくなる。さらに、パケット組立部１６６は、既に取り出してあったデータ部分＃６の後ろに、取り出したデータ部分＃７を結合する。
【０１０５】
次に、パケット組立部１６６は、回線別メモリ１６４−１〜１６４−４それぞれについて、先頭に格納されたデータ部分に付加された順序情報を検出する。このとき、データは回線別メモリ１６４−１にしか格納されていないので、パケット組立部１６６は、回線別メモリ１６４−１から、８番目を示す順序情報＃８が付加されたデータ部分＃８を取り出す。このとき、回線別メモリ１６４−１に格納されたデータはなくなる。さらに、パケット組立部１６６は、既に取り出してあったデータ部分＃７の後ろに、取り出したデータ部分＃８を結合する。
【０１０６】
このようにして、パケット組立部１６６は、元のユーザデータを復元することができる。さらに、回線別メモリ１６４−１〜１６４−４が無線回線ごとに設けられているので、各無線回線を介して伝送されたデータの到達時間がそれぞれ異なった場合であっても、パケット組立部１６６は、容易にユーザデータを組み立てることが可能となる。つまり、もし、メモリ（バッファ）が回線別に設けられていないとすると、バッファ内でデータ部分（パケット）の順序がバラバラとなる。そうすると、先に述べたように、パケット組立部１６６は、全てのデータ部分（パケット）を取り出してから、順序を入れ替える必要があり、処理が複雑となって、処理時間が長くなる。
【０１０７】
［無線通信方法］
図１２及び図１３を用いて、無線通信装置１００の動作フロー（無線通信方法）を説明する。
図１２は、送信側の無線通信装置１００（無線通信装置Ａ１００Ａ）の動作を示すフローチャートである。
なお、図１２に示したフローチャートにおいて、処理（ステップ）の順序は、適宜、変更可能である。また、複数ある処理（ステップ）のうちの１つ以上は、省略されてもよい。図１３に示したフローチャートにおいても同様である。
【０１０８】
無線通信装置Ａ１００Ａは、ユーザデータを複数のデータ部分に分割する（Ｓ１０２）。具体的には、上述したように、分割回路１２０のデータ分割部１２２は、ユーザデータを、同じサイズのデータ部分＃１〜＃Ｎに分割する。さらに、上述したように、データ分割部１２２は、データ部分＃１〜＃Ｎに対し、これらの順序を示す順序情報＃１〜＃Ｎを付加する。
【０１０９】
次に、無線通信装置Ａ１００Ａは、複数の無線回線ごとに、帯域制御を行う（Ｓ１０４）。具体的には、上述したように、分割回路１２０の回線別帯域制御部１２４−１〜１２４−４は、それぞれ、無線回線＃１〜無線回線＃４について帯域制御を行う。
【０１１０】
次に、無線通信装置Ａ１００Ａは、帯域制御された無線回線ごとに、データ部分を対応付ける（Ｓ１０６）。具体的には、上述したように、分割回路１２０の回線別帯域制御部１２４−１〜１２４−４は、それぞれ無線回線＃１〜無線回線＃４について設定された通信速度に応じた頻度でカウントを行うごとに、データ分割部１２２から、順序情報が付加されたデータ部分を取得する。これによって、回線別帯域制御部１２４−１〜１２４−４は、無線回線＃１〜無線回線＃４について設定された通信速度に応じて、データ部分について無線回線＃１〜無線回線＃４のいずれかを対応付けている。
【０１１１】
次に、無線通信装置Ａ１００Ａは、無線回線＃１〜無線回線＃４に対応する宛先アドレス＃１〜＃４をデータ部分に付加し、パケットを生成する（Ｓ１０８）。具体的には、上述したように、分割回路１２０のパケット生成部１２６−１〜１２６−４は、宛先アドレス対応テーブルを参照して、それぞれが受け付けたデータ部分に対して、それぞれ、宛先アドレス＃１〜＃４を付加する。
【０１１２】
次に、無線通信装置Ａ１００Ａは、宛先アドレスを用いて、パケットを複数の無線回線のいずれかに振り分ける（Ｓ１１０）。具体的には、上述したように、回線振分回路１４０は、例えば、パケットに含まれる宛先アドレス＃１〜＃４に対応するポートに対して、そのパケットを振り分けることによって、宛先アドレス＃１〜＃４を含むパケットを、それぞれ、無線送受信回路１５０−１〜１５０−４に対して送信する。
【０１１３】
次に、無線通信装置Ａ１００Ａは、パケットを、振り分けられた無線回線を介して送信する（Ｓ１１２）。具体的には、上述したように、無線送受信回路１５０−１〜１５０−４は、回線振分回路１４０から振り分けられたパケットについて変調処理を行い、それぞれ無線回線＃１〜無線回線＃４を介して、受信側（無線通信装置Ｂ１００Ｂ）に対して、パケットを含む電波を送信する。
【０１１４】
図１３は、受信側の無線通信装置１００（無線通信装置Ｂ１００Ｂ）の動作を示すフローチャートである。
まず、無線通信装置Ｂ１００Ｂは、複数の無線回線を介して、パケットを受信する（Ｓ２０２）。具体的には、上述したように、無線送受信回路１５０−１〜１５０−４は、それぞれ無線回線＃１〜無線回線＃４を介して、パケットが含まれる電波を受信し、復調処理を行うことによって、パケットを取得する。
【０１１５】
次に、無線通信装置Ｂ１００Ｂは、無線回線ごとに分けてパケットを格納する（Ｓ２０４）。具体的には、上述したように、組立回路１６０の回線別メモリ１６４−１〜１６４−４は、それぞれ宛先アドレス＃１〜＃４を含むパケットを格納する。
【０１１６】
次に、無線通信装置Ｂ１００Ｂは、パケットに含まれる順序情報を使用して、ユーザデータを復元する（Ｓ２０６）。具体的には、上述したように、組立回路１６０のパケット組立部１６６は、データ部分＃１〜＃Ｎに付加されている順序情報＃１〜＃Ｎの順序で、データ部分＃１〜＃Ｎを組み立てることで、ユーザデータを復元する。
【０１１７】
次に、無線通信装置Ｂ１００Ｂは、ユーザデータを送信する（Ｓ２０８）。具体的には、上述したように、データ送信部１６８は、データ回線６０（６０Ｂ）に対して、復元されたユーザデータを送信する。
【０１１８】
［変形例］
なお、本発明は上記実施の形態に限られたものではなく、趣旨を逸脱しない範囲で適宜変更することが可能である。
上述した実施の形態１においては、複数の無線回線の数を４つ（無線回線＃１〜無線回線＃４）としたが、無線回線の数は、複数であればいくつであってもよい。
【０１１９】
また、無線通信装置Ａ１００Ａ及び無線通信装置Ｂ１００Ｂは、分割回路１２０又は組立回路１６０のいずれかのみを有していてもよい。つまり、例えば、無線通信装置Ａ１００Ａから無線通信装置Ｂ１００Ｂに対してデータが伝送されるが、無線通信装置Ｂ１００Ｂから無線通信装置Ａ１００Ａに対してはデータが伝送されない場合、無線通信装置Ａ１００Ａは、分割回路１２０を有しているが組立回路１６０を有していなくてもよい。無線通信装置Ｂ１００Ｂは、組立回路１６０を有しているが分割回路１２０を有していなくてもよい。
【０１２０】
また、実施の形態１においては、データ部分に無線回線に対応した宛先アドレスを付加するとしたが、データ部分に付加されるのは宛先アドレスでなくてもよく、無線回線を識別する識別子であればどのような形式であってもよい。ただし、宛先アドレスを付加することによって、データ部分をパケットとして処理できるので、上述したように、回線振分回路について、既存のＬ２スイッチを流用して構成できる。また、無線回線に対応した識別子は、ＳＡ（送信元アドレス）として付加されてもよい。この場合、回線振分回路は、ＳＡに基づいてデータ部分を振り分けるように構成される。
【０１２１】
また、実施の形態１においては、回線別帯域制御部１２４は、設定された無線回線の通信速度に応じた頻度でカウントするごとにデータ部分を取り出すとしたが、データ部分を取り出す方法は、上記に限られない。例えば、回線別帯域制御部１２４は、無線回線＃１〜無線回線＃４それぞれについて設定された通信速度の比率に応じた数のデータ部分を要求してもよい。
【０１２２】
上述の実施の形態では、本発明をハードウェアの構成として説明したが、本発明は、これに限定されるものではない。本発明は、無線通信装置内の各回路の処理を、ＣＰＵ（Central Processing Unit）にコンピュータプログラムを実行させることにより実現することも可能である。
【０１２３】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２４】
以上、実施の形態を参照して本願発明を説明したが、本願発明は上記によって限定されるものではない。本願発明の構成や詳細には、発明のスコープ内で当業者が理解し得る様々な変更をすることができる。
【０１２５】
この出願は、２０１３年４月２４日に出願された日本出願特願２０１３−０９１２７４を基礎とする優先権を主張し、その開示の全てをここに取り込む。
【符号の説明】
【０１２６】
１  無線通信装置
５０  無線通信システム
６０  データ回線
１００  無線通信装置
１１０  宛先アドレス対応テーブル記憶部
１２０  分割回路
１２２  データ分割部
１２４  回線別帯域制御部
１２６  パケット生成部
１２８  パケット送信部
１４０  回線振分回路
１５０  無線送受信回路
１６０  組立回路
１６２  パケット受信部
１６６  パケット組立部
１６８  データ送信部
【図１】
2014174768.tif 000003
【図２】
2014174768.tif 000004
【図３】
2014174768.tif 000005
【図４】
2014174768.tif 000006
【図５】
2014174768.tif 000007
【図６】
2014174768.tif 000008
【図７】
2014174768.tif 000009
【図８】
2014174768.tif 000010
【図９】
2014174768.tif 000011
【図１０】
2014174768.tif 000012
【図１１】
2014174768.tif 000013
【図１２】
2014174768.tif 000014
【図１３】
2014174768.tif 000015
【国際調査報告】
2014174768.tif 000016
2014174768.tif 000017